(57)【特許請求の範囲】
【請求項１】
繊維製のボードで形成された、スリーブ及び底部を含む容器であって、
この底部はポリマーで被覆されたボードを含み、このスリーブは、ＩＳＯ５３５に従って測定されたとき１時間で１００ｇ／ｍ２を下回るコブ値を有するようにサイジングされた繊維製のボードを含み、この容器のスリーブはポリマーで被覆されておらず、かつこのスリーブはわきの継ぎ目に沿ってスリーブの二つの端部を一緒に封止することによって形成されている、上記容器。
【請求項２】
わきの継ぎ目が液体及び／又はグリースに対して貫通抵抗性を有する、請求項１に記載の容器。
【請求項３】
テープがスリーブの素の両端部を覆っている、請求項１又は２に記載の容器。
【請求項４】
スリーブの両端部が重なっている、請求項１〜３のいずれか１項に記載の容器。
【請求項５】
スリーブが、そのスリーブの内側の面について、ＩＳＯ５３５に従って測定されたとき６０秒で２５ｇ／ｍ２を下回るコブ値を有するようにサイジングされている、請求項１〜４のいずれか１項に記載の容器。
【請求項６】
容器がカップである、請求項１〜５のいずれか１項に記載の容器。
【請求項７】
底部及びスリーブを有する繊維製の容器を製造する方法であって、
この底部はポリマーで被覆されたボードを含み、このスリーブは、ポリマーで被覆されておらず、かつＩＳＯ５３５に従って測定されたとき１時間で１００ｇ／ｍ２を下回るコブ値を有するようにサイジングされた繊維製のボードを含み、そして、
底部及び形成されたスリーブが互いに取り付けられて容器を形成するように、スリーブの少なくとも２つの端部が、スリーブを形成する継ぎ目に沿って一緒に封止される、上記製造方法。
【請求項８】
わきの継ぎ目がこれを溶融させる熱にかけられ、その結果スリーブの二つの端部が封止される、請求項７に記載の方法。
【請求項９】
スリーブ及び底部が、熱による封止で互いに取り付けられる、請求項７又は８に記載の方法。
【発明の詳細な説明】
【技術分野】
【０００１】
本発明は、底部及びスリーブ（ｓｌｅｅｖｅ）を有する容器に関する。本発明は、さらに、この容器を製造する方法に関する。
【背景技術】
【０００２】
一般的に、ポリマーで被覆されたボード（ｂｏａｒｄ：板）は、液体の食品及び他の液体系又は湿潤性の製品用の容器及び包装に使用される。ポリマーで被覆されたボードから形成された包装及び容器が意図される典型的な製品には、様々な液体及び湿潤性の食品、例えば、乳製品、水、ジュース、ワイン、コーヒー及び他の温飲料、スープ、デザート及び加工食品が含まれる。
【０００３】
包装又は容器の内側のポリマー層は、湿気及び水分からボードを保護し、ポリマーの等級次第で、閉じられた包装内に含まれる製品の酸素及び／又は風味の保護を提供する。このポリマーはまた、製品に含まれるグリース又は脂肪分に対して、ボードを保護することもできる。さらには、ポリマー被覆によって、包装又は容器を製造する際にボードを熱封止することが可能になる。ポリマー被覆の内表面に加えて、厚紙の包装又は容器の内側切断端又はいわゆる素の両端部（ｒａｗ  ｅｄｇｅｓ：むき出しの両端部）は、湿潤性又は液体の製品に暴露されることがあり、液体が両端部を通してボードに吸収される場合がある。これを避けるために、ボードをその両端部の周辺で折りたたんでよく、結果として、素の両端部を、継ぎ合わされた包装又は容器の外被の内側に隠し、又は、素の両端部をその外側表面の上へ折り曲げ、あるいは、ボードの端部を削ってその後に二重に折りたたんでもよく、結果として素の端部が閉じられる。素の両端部の吸収の問題についての別のアプローチは、ボードの適当なサイジング剤（ｓｉｚｅｓ）によって吸収を妨げることである。
【０００４】
ボードの容器又は包装を液体及び気体に対して非浸透性にする別の方法は、包装に使用されるボードに金属箔を提供することである。しかし、このような包装の不利な点には、高い製造コスト、箔層の生物分解性がないこと、及び、包装材料の再生に課題があることが含まれる。
【０００５】
包装が環境に調和的であること、すなわち、包装がリサイクル可能であり及び／又は生物分解性があることは、ますます重要になってきている。繊維製の包装の大きな利点は、それらがリサイクル可能であることである。しかし、今日用いられる食品又は液体を包装するための繊維製の容器又は包装は、箔又はポリマーが積層されたものであり、使用済みの包装をリサイクルすることはより困難になっている。
【０００６】
容器及びカップの被覆における生物分解性ポリマーの使用は、一つの選択肢である。しかし、生物分解性であれ又はそうでなくても、ポリマーの存在により、ボードのパルプ性（ｐｕｌｐａｂｉｌｉｔｙ）が減じるので、ボードのリサイクルの間に問題が生じる。さらには、生物分解性ポリマーは非常に高価であり、またボード様に押し出すのがより困難である。
【０００７】
従って、食品及び／又は液体を包装するのに適しているので、同じ時間で製造することに経済的により利益があり、環境により調和した容器を提供することが必要である。
【発明の開示】
【発明が解決しようとする課題】
【０００８】
本発明の一つの目的は、食品及び／又は液体のような製品を包装するのに適した、環境に調和した容器を提供することである。
【０００９】
また、本発明の目的は、液体及び／又はグリースに対して抵抗性（ｒｅｓｉｓｔａｎｃｅ：耐性）を有する容器を提供することである。
【００１０】
本発明の更に別の目的は、経済的に利益のあるやり方で、環境に調和した容器を製造する方法を提供することである。
【００１１】
この目的及び他の利点は、特許請求の範囲の独立項により達成され、容器の好ましい実施形態は独立項により定義される。
【００１２】
本発明は、繊維製のボードで形成された容器であって、この容器はスリーブ及び底部を含み、この底部はポリマーで被覆されたボードを含み、このスリーブの少なくとも１つの側面は被覆されておらず、スリーブはわきの継ぎ目（ｓｉｄｅ  ｓｅａｍ）に沿ってスリーブの二つの端部を一緒に封止することによって形成されている容器に関する。
【００１３】
スリーブの少なくとも１つの側面上の被覆されていないボード、及び容器の底部上のポリマー被覆ボードの組み合わせは、液体及び／又はグリースに対して抵抗性を有する容器を製造するために十分である。従って、本発明による容器は、食品及び／又は液体の両方の包装に適している。
【００１４】
容器の内側に面するスリーブの側面は、被覆されていないことが好ましい。容器のスリーブ上の被覆されていないボードは、それが底部上でポリマー被覆ボードと組合されているとき、液体及び／又はグリースに対して十分な抵抗性を有することが示された。使用される被覆されていないボードは、包装に用いられる好都合なボードであればいかなるものであってもよい。包装が、消費されることになる食品又は他の製品を含有すべきであるならば、ボードが食品用のボードの要求を満足することが重要である。
【００１５】
わきの継ぎ目は、液体及び／又はグリースに対して抵抗性を有することが好ましい。わきの継ぎ目は、スリーブの素の両端部を覆っていることが好ましい。スリーブの素の両端部、すなわちスリーブの切断端は、繊維製の材料から形成された容器が、液体又はグリースの貫通に対して最も敏感な（感受性のある）部分である。好ましくはテープで素の両端部を被覆することによって、これら素の両端部は覆われて、液体又はグリースが容器に貫通することはできなくなる。
【００１６】
スリーブの両端部は、重ねることが好ましい。このようにして、スリーブの両端部が継ぎ目に沿って封止されるときに、これらスリーブの両端部はより確実な方法で覆われる。
【００１７】
容器の底部及びスリーブは、熱による封止（ｈｅａｔ−ｓｅａｌｉｎｇ）で互いに取り付けられていることが好ましい。容器の底部はポリマー被覆のボードを含むため、スリーブ及び底部を互いに熱によって封止することができる。
【００１８】
繊維製のボードは、増大したサイジングの濃度（ｓｉｚｉｎｇ  ｌｅｖｅｌ）を有することが好ましい。増大したサイジングの濃度はまた、液体又はグリースに対する容器の抵抗性、すなわち包装される製品に対する容器の抵抗性を改善する。サイジングの濃度は、製品の最終的な用途に依存する。容器が液体を含有している場合、容器の内側に面するスリーブの被覆されていないボードのＣｏｂｂ  ｖａｌｕｅ：コブ値（水吸収）は、ＩＳＯ５３５による測定で２５ｇ／ｍ２（６０秒）を下回っているべきである。被覆されていない繊維製のボードは、水に対する長時間の抵抗性を持っていてよく、ＩＳＯ５３５による測定で１００ｇ／ｍ２（１時間）を下回るコブ値（水）であることが好ましい。
【００１９】
容器は、カップ（ｃｕｐ）の形態であることが好ましい。
【００２０】
本発明はさらに、底部及びスリーブを有する厚紙（ｐａｐｅｒｂｏａｒｄ）の容器を製造する方法であって、この底部がポリマーで被覆されたボードを含み、このスリーブの少なくとも１つの側面が被覆されていないボードを含み、そして、スリーブの少なくとも２つの端部がスリーブを形成する継ぎ目に沿って一緒に封止され、底部及びスリーブが互いに取り付けられて容器を形成する方法に関する。
【００２１】
継ぎ目には、スリーブの２つの端部が封止されるように、わきの継ぎ目を溶融する熱をかけることが好ましい。このようにして、密な封止、すなわち液体及び／又はグリースに対して抵抗性を有する封止が形成される。
【００２２】
スリーブ及び底部は、熱による封止で互いに取り付けられることが好ましい。熱による封止は周知の技法であり、容器を形成するときにこの技法を用いることが好ましい。このようにして、包装を熱によって封止するために従来の装置を使用することができる。
【００２３】
（詳細な説明）
底部におけるポリマーで被覆されたボードと組み合わせて、容器のスリーブ上に被覆されていないボードを使用することによって、例えば液体及び／又はグリースに対して良好な抵抗性を有する容器が与えられることが、意外なことに見いだされた。
【００２４】
ポリマーで被覆されたボードの量を減らし、それによって容器のポリマーの量を減らすことで、液体及び／又はグリースに対する良好な抵抗性をなお保つことを可能にしつつ、より環境に調和した容器を製造することができる。意外なことに、そして従来からの知見に反して、繊維製のボードが、液体及び／又はグリースに対して予想よりも大幅に良好な抵抗性を有し得ることが示された。容器のスリーブのわきの継ぎ目及び底部を保護することによって、包装される製品（例えば食品及び／又は液体）に対する十分な保護が達成されることが示された。
【００２５】
容器は、少なくとも２つの部分、１つのスリーブ及び１つの底部からなる。底部は、ポリマーで被覆されたボードを含み、従来のいかなる形態にも形成される。容器がカップの形態であるならば、底部は丸みを帯びていることが好ましい。従来のポリマー被覆のいかなるものが用いられてもよい。熱封止性のポリマー（ｈｅａｔ−ｓｅａｌａｂｌｅ  ｐｏｌｙｍｅｒｓ）及び／又は生物分解性ポリマーを使用することが好ましい。容器におけるポリマーの全体的な量が減少するので、生物分解性ポリマーを使用する費用はそれほど高くなく、それゆえ生物分解性ポリマーを使用し、なおかつ費用効率の高い容器を製造することが可能である。
【００２６】
スリーブは、少なくとも一方の側面上に被覆されていないボードを含む。好ましくは、被覆されていないボードは、容器の内部を形成する。スリーブは、ボードの２つの端部を重ね合わせるか、又は隣接させることによって共に接合し、次いで継ぎ目に沿ってそれらの端部を一緒に封止することによって形成される。好ましくは、継ぎ目は加熱されるテープによって形成され、これにより、液体及び／又はグリースに対して抵抗性を有する継ぎ目が形成される。このようにして、スリーブの両端部、すなわち素の両端部は、包装される製品の液体及び／又はグリースに対して保護される。最終的な用途次第で、封止された継ぎ目が包装製品の変形歪力（ｓｔｒａｉｎ：張り、緊張）に対してどの程度の期間にわたって耐性を有する必要があるかについての要求は、様々である。
【００２７】
好ましくは、底部及びスリーブは、熱による封止で、及びそれによって容器を形成することで、互いに取り付けられる。底部はポリマーで被覆されたボードを含むので、従来の方法によって、底部及び形成されたスリーブを互いに熱によって封止することができる。底部はまた、スリーブに接着剤で付けられてもよい。
【００２８】
スリーブの内側に面するスリーブの側面は、被覆されていない、すなわちボードの表面上にポリマーの被覆や鉱物（ｍｉｎｅｒａｌ：無機物）の被覆がないことが好ましい。容器のスリーブの外側を形成する他の面は、被覆されていてもよく、良好な印刷特性を有する容器を提供するために、好ましくは鉱物で被覆されていてよい。
【００２９】
繊維製のボードは、内部的に又は表面にサイジングされていてよい。容器に包装される製品及び容器の最終的な用途次第で、ボードは内部サイジング及び／又は表面サイジングを与えられていてよい。サイジングは、ボードの多孔性を減じることになる。容器が液体を含むのであれば、疎水性サイジング剤がボードに加えられてよい。容器がグリース性の表面を有する製品（例えば食品又は油分の多い予備部品）を含むのであれば、ボードは表面ブロック傾向を有する表面サイジングを含んでよい。一般的に用いられるサイジング剤は、澱粉、ＰＶＡ、ＣＭＣ、ＳＡ（スチレンアクリレートエマルジョン）、ＳＡＥ（改質スチレンアクリル酸コポリマー）、ＳＭＡ（スチレンマレイン酸無水物）、フッ素化学品、ポリウレタン、ＡＫＤ及びＡＳＡであるが、他の公知のサイジング剤を用いてもよい。好ましくは、疎水性サイジング剤及び表面封止用の添加剤の両方を用いてもよい。
【００３０】
ボードのサイジング剤濃度を増大させることが、好ましいかもしれない。使用されるサイジング剤次第で、液体及び／又はグリースに対する所望の抵抗性を達成するために異なる量のサイジング剤が必要とされる。例えば、ＡＫＤサイジング剤の量は１ｋｇ／ｔを上回っているべきであり、ＡＳＡサイジング剤の量は０．７５ｋｇ／ｔを上回っているべきであり、ロジン（ｒｏｓｉｎ：松脂）サイジング剤の量は２ｋｇ／ｔを上回っているべきである。
【００３１】
ボードの内部に又は表面にサイジング剤を加えることによって、ボードの液体（例えば水）及びグリース（例えば油、脂肪分）に対する抵抗性は増加する。容器が液体を含むことになるならば、スリーブのボードの被覆されていない側面は、ＩＳＯ５３５による測定で、２５ｇ／ｍ２（６０秒）を下回るコブ値（水吸収）を有することが好ましい。容器が液体のより長期の貯蔵のために使用されるべきであるならば、コブ値は２０ｇ／ｍ２（６０秒）を下回ることが好ましい。コブ値（１時間の水）は、好ましくは１００ｇ／ｍ２を下回り、より好ましくは８０ｇ／ｍ２を下回り、さらにより好ましくは６０ｇ／ｍ２を下回る。ボードがより長い期間にわたって液体に対して抵抗性を有するべきであるならば、使用されるサイジング剤の量は、例えば、２ｋｇ／ｔを上回るＡＫＤサイジング剤であってよく、１．２５ｋｇ／ｔを上回るＡＳＡサイジング剤、又は３ｋｇ／ｔを上回るロジンであってよい。
【００３２】
本発明による容器の他の利点は、容器に使用される厚紙の１つの側面をサイジングすれば、しばしばそれで十分であることである。このようにして、コストが削減され、製造能力（ｒｕｎｎａｂｉｌｉｔｙ）が改善される。さらには、この容器によって、厚紙の表面のみをサイジングすることが可能になる。すなわち、ボードの中の層（ｍｉｄｄｌｅ  ｐｌｙ）内部にサイジング剤を加える必要性はないかもしれない。
【００３３】
容器の底部はポリマー被覆を含み、それによって、液体及び／又はグリースに対する保護が増大すると共に、スリーブ及び底部が熱による封止で互いに取り付けられることが可能になる。熱による封止（ｈｅａｔ−ｓｅａｌｉｎｇ）は、包装を封止して、密な封止状態を形成するための周知の技術である。
【００３４】
容器の形状は様々なものであってよいが、１つの好ましい形状はカップの形態である。カップのスリーブは、上方に向けて円錐状に拡張することができる。円錐状のカップは、ボードで作られた従来の飲料カップに相当する。カップは、さらに巻かれた形態のふち（ｒｏｌｌｅｄ  ｒｉｍ）や、カップに関連する他の追加的特徴（例えばハンドル）をさらに有していてよい。
【００３５】
容器は、多数の種々の包装、例えば、飲料用カップとして、食品持運び用容器などの食品の包装のため、甘菓子又はキャンディーを包装するため、あるいは金属又は予備部品を包装するために、使用されてよい。しかしながら、他の最終用途がまた、本発明による容器の保護範囲内においてあり得る。
【００３６】
繊維製のボードは、好ましくはセルロース繊維で形成されている。硬質の木材及び軟質の木材の繊維の両方を含めて、いかなる種類の繊維が用いられてもよい。
【００３７】
本明細書に記載された実施形態の数多くの変形が、添付の特許請求の範囲によって定義される本発明の範囲内になお属する様式で、存在することが考えられる。
本発明に包含され得る諸態様は、以下のとおり要約される。
［態様１］
繊維製のボードで形成された容器であって、
この容器はスリーブ及び底部を含み、この底部はポリマーで被覆されたボードを含み、容器の内側に面するスリーブの側面は被覆されておらず、かつこのスリーブはわきの継ぎ目に沿ってスリーブの二つの端部を一緒に封止することによって形成されており、
この被覆されていない繊維製のボードは、ＩＳＯ５３５に従って測定されたとき、１００ｇ／ｍ２（１時間）を下回るコブ値（水）を有する、上記容器。
［態様２］
わきの継ぎ目が液体及び／又はグリースに対して抵抗性を有する、上記態様１に記載の容器。
［態様３］
わきの継ぎ目がスリーブの素の両端部を覆っている、上記態様１又は２に記載の容器。
［態様４］
わきの継ぎ目がテープである、上記態様１〜３のいずれか１項に記載の容器。
［態様５］
スリーブの両端部が重なっている、上記態様１〜４のいずれか１項に記載の容器。
［態様６］
容器の底部及びスリーブが、熱による封止で互いに取り付けられている、上記態様１〜５のいずれか１項に記載の容器。
［態様７］
被覆されていない繊維製のボードが、ＩＳＯ５３５に従って測定されたとき、２５ｇ／ｍ２（６０秒）を下回るコブ値（水）を有する、上記態様１〜６のいずれか１項に記載の容器。
［態様８］
容器がカップである、上記態様１〜７のいずれか１項に記載の容器。
［態様９］
底部及びスリーブを有する繊維製の容器を製造する方法であって、
この底部はポリマーで被覆されたボードを含み、このスリーブの少なくとも１つの側面は被覆されていないボードを含み、そして、
容器の内側に面するスリーブの側面が被覆されておらず、かつ底部及び形成されたスリーブが互いに取り付けられて容器を形成するように、スリーブの少なくとも２つの端部が、スリーブを形成する継ぎ目に沿って一緒に封止される、上記製造方法。
［態様１０］
わきの継ぎ目がこれを溶融させる熱にかけられ、その結果スリーブの二つの端部が封止される、上記態様９に記載の方法。
［態様１１］
スリーブ及び底部が、熱による封止で互いに取り付けられる、上記態様９又は１０に記載の方法。